(57)【要約】【課題】電子透かしを挿入することで、不正者の特定を行うことは出来る。しかし、原画像の改ざんが行われ、電子透かし挿入が行われた場合、元々あった電子透かし情報は上書きされてしまい、改ざんがされたかどうかの判定を行うことができない。【解決手段】入力された画像に対して、電子透かし情報を挿入する際、その前のフレームの電子透かし検出確度も同時に挿入する。挿入した画像を画像符号化装置へ送り、目的の画像フォーマットへ符号化し、外部記憶装置へ保存する。さらに画像符号化装置では、符号化した画像を自身で復号化し、その画像を電子透かし検出装置へ送り、電子透かし検出確度を算出する。そのデータを次のフレームの電子透かしとして挿入する。【選択図】  図１
2004166019.tif 000002
【特許請求の範囲】
【請求項１】
画像を入力する手段と、電子透かしを挿入する電子透かし挿入装置と、画像を符号化する画像符号化装置と、データを保存する外部記憶装置と、電子透かしの検出確度を検出する電子透かし検出装置において、入力された画像に対して、電子透かし挿入装置によって透かしとしてデータを挿入し、その透かしが挿入された画像を符号化装置によって圧縮を行い、外部記憶装置へ保存するが、それと同時に符号化装置内部で符号化したデータを復号化し、電子すかし検出装置へその画像データを送り、電子透かしを検出し、その検出確度の情報を電子透かし挿入装置へ送り、次のフレームへ電子透かしの一情報として挿入することを特徴とする電子透かし挿入システム。
【請求項２】
請求項１の電子透かしシステムを具備し、さらに電子透かし挿入装置と電子透かし検出装置間に、バッファを設けて検出確度を一時的に保持できる装置を具備し、検出確度を挿入する時間を自由に変更することを特徴とする電子透かし挿入システム。
【請求項３】
画像を入力する手段と、電子透かしを挿入する電子透かし挿入装置と、画像を符号化する画像符号化装置と、データを保存する外部記憶装置と、電子透かしの検出確度を検出する電子透かし検出装置において、入力された画像に対して、電子透かし挿入装置によって透かしとしてデータを挿入し、その透かしが挿入された画像を符号化装置によって圧縮を行い、外部記憶装置へ保存するが、それと同時に符号化装置内部で符号化したデータを復号化し、電子すかし検出装置へその画像データを送り、電子透かしの検出し、その検出確度の情報を符号化装置へ送り、次のフレームのユーザ領域に検出確度を挿入することを特徴とする電子透かし挿入システム。
【請求項４】
映像情報を出力するカメラ装置と、そのデータを保存することの出来る外部記憶装置において、カメラ装置と外部記憶装置の間に請求項１記載の電子透かし挿入システムを設置し、カメラの装置ＩＤを電子透かしの情報として、改ざんを抑制することを特徴とする監視カメラシステム。
【発明の詳細な説明】
【０００１】
【発明の属する技術分野】
本発明はデジタルメディアコンテンツの改ざん防止を実現可能な電子透かし装置に関する。
【０００２】
【従来の技術】
従来、デジタルメディアコンテンツの不正使用などを防止する為に、電子透かしを挿入して不正者を特定することに使用していた。この時、電子透かしの情報の一部として機器を特定できるＩＤ情報や実時刻情報、実位置情報を付加する。
【０００３】
関連する技術として、下記する特許文献１では、ＩＤ情報、実時刻情報、実位置情報を電子透かしのデータとして挿入する。ただしこの時、ＩＤ情報、実時刻情報だけでもよい。また、ＩＤ情報として、機器の製造メーカや機器を使用する事業者、機器が使用されている航空機やバスなどの移動体や、機器が使用されているホールや映画館など、機器に関する事業者や場所を特定できる情報を用いても良い。この場合、これらの機器に関する事業者や場所を特定可能である。あるいは、ＩＤ情報として、機器を使用する者のユーザＩＤを用いても良い。これらの情報を、透かしとして埋め込むことで不正者を特定し、不正使用を防止するという提案である。
【０００４】
【特許文献１】
特開２００１−１３６１６１号公報
【０００５】
【発明が解決しようとする課題】
電子透かしを挿入することで、不正者の特定を行うことは出来る。しかし、原画像の改ざんが行われ、電子透かし挿入が行われた場合、元々あった電子透かし情報は上書きされてしまう。その為、改ざんがあったかどうかを判別する方法が無い。
【０００６】
本発明はこのような問題を鑑みてなされたものであり、電子透かしが挿入された画像に対して不正な改ざんを防止することを目的とする。
【０００７】
【課題を解決するための手段】
この発明に係る画像処理装置は、電子透かしを挿入する電子透かし挿入装置と、画像を特定の符号へ変換する画像符号化装置と、電子透かし検出確度の処理を行う電子透かし検出装置と、符号化された画像データを保管することの出来る外部記憶装置と、電子透かしを埋め込む為の画像入力を行う手段と、入力した画像を電子透かし挿入装置へ送る手段と、
電子透かしを挿入した画像を画像符号化装置へ送る手段と、画像を符号化した結果を外部記憶装置へ送る手段と、画像符号化装置内部で復号化された画像データを電子透かし検出装置へ送る手段と、電子透かし検出装置の検出確度を電子透かし挿入装置へ送る手段を
具備し、電子透かし情報の中に、前フレームの電子透かし検出確度をあわせて埋め込むことを特徴とする。
【０００８】
本発明は、画像に対して電子透かしを挿入してから符号化を行い、電子透かしの検出確度を次フレームの電子透かし情報に埋め込む。つまり、入力された画像を電子透かし挿入装置へと送り、電子透かし情報を挿入する。電子透かし情報が挿入された画像に対して、画像符号化装置によって目的の画像フォーマットへ符号化する。符号化された画像は外部記憶装置へ格納される。また、同時に画像符号化装置によって復号化も行われ、その結果を電子透かし検出装置へ送る。復号化された画像を受けた電子透かし検出装置は、電子透かしの検出処理を行い検出確度を算出し、その結果を電子透かし挿入装置へ送る。この情報を受けた電子透かし挿入装置は、次に入力される画像に、透かし情報の一つとして挿入する。これを繰り返すことで、検出確度を次々と埋め込む。もし、連続する画像の一部分が改ざんされ、透かし情報が埋め込まれたとしても、検出確度が変化している為、改ざんされていることを容易に検出が可能となる。
【０００９】
【発明の実施の形態】
本発明の実施例について図面を参照して説明する。図１は本発明の基本的な部分を示している。電子透かしを挿入する画像を画像入力装置１０４から、電子透かしの挿入や符号化を行う画像処理装置１００へ入力する。入力された画像は、電子透かし挿入装置１０１で電子透かしが挿入される。電子透かしが挿入された画像は画像符号化装置１０２へと送られ目的の画像フォーマットへ符号化される。符号化された画像は外部記憶装置１０５へと送られ保存される。また、画像符号化装置１０２では同時に符号化した画像を元に戻す復号化も行われており、復号化された画像は電子透かし検出装置１０３へ送られ、画像に含まれる電子透かしの検出確度を算出する。算出された検出確度情報は電子透かし挿入装置１０１へ送られ、次の画像の電子透かし情報の一部として使用する。
【００１０】
図２は画像へ行う処理と、それに伴う処理結果である電子透かし確度の流れを示した図である。時間ｎ−１に画像入力装置１０４から送られた原画像２００は電子透かし装置１０１へ送られ電子透かし挿入後画像２０１となる。この画像は画像符号化装置１０２へと送られ、符号化画像２０２となる。この画像は外部記憶装置１０５へ送られ保存される。また、画像符号化装置１０２は同時に復号化画像２０３を生成し、電子透かし検出装置１０３へ送られ電子透かし確度２０４を算出し、時間ｎの電子透かし挿入で使用される。時間ｎの原画像２０５は、時間ｎ−１で算出された電子透かし確度２０４の情報を合わせて電子透かし挿入後画像２０６を生成し、符号化画像２０７を外部記憶装置１０５へ保存する。同様に、時間ｎの符号化画像２０７を、画像符号化装置１０２を用いて、復号化画像２０８を生成し、その電子透かし検出確度２０９を電子透かし検出装置１０３を用いて算出する。算出した電子透かし確度２０９は時間ｎ＋１の電子透かし挿入へ使用される。時間ｎ＋１の原画像２１０へ時間ｎの電子透かし確度２０９を追加挿入し、電子透かし挿入後画像２１１を生成する。その画像を符号化し、符号化画像２１２を生成し、外部記憶装置１０５へ格納する。この一連の流れによって、電子透かし確度を次画像の電子透かし情報として組み入れ、改ざんを防止する。
【００１１】
図３は、電子透かし検出確度をバッファに一時保存し、任意の画像フレームに検出確度を埋め込んでいく方式である。画像入力装置１０４から画像処理装置１００へ入力され、電子透かし挿入装置１０１へと送られる。電子透かしが挿入された画像は画像符号化装置１０２へ送られ目的の画像フォーマットへ符号化される。符号化された画像は外部記憶装置１０５へ送られ保存される。また、画像符号化装置１０２の内部で復号化も同時に行われ、復号化された画像は電子透かし検出装置１０３へ送られる。電子透かし検出装置１０３で電子透かし検出確度を算出し、その結果をバッファ１０６へ送り一時保存する。このバッファはＦＩＦＯで構成されており、電子透かし検出確度を挿入する画像フレームを次のフレームと固定するのではなく、次のｎフレーム目に埋め込むことが可能な方式である。
【００１２】
図４は電子透かしとして、電子透かし検出確度を挿入するのではなく、画像符号化の際に、画像のユーザ領域に書き込むことで本発明を実施している。画像入力装置１０４から画像処理装置１００へ入力され、電子透かし挿入装置１０１へと送られる。電子透かしが挿入された画像は画像符号化装置１０２へ送られ目的の画像フォーマットへ符号化される。符号化された画像は外部記憶装置１０５へ送られ保存される。また、画像符号化装置１０２の内部で複合かも同時に行われ、復号化された画像は電子透かし検出装置１０３へ送られる。電子透かし検出装置１０３で電子透かし検出確度を算出し、その結果を画像符号化装置１０２へ戻す。戻されたデータである電子透かし検出確度は次のフレームとして処理する画像データのユーザ領域に書き込まれる。
【００１３】
また、図５については本発明を実際の製品に適応した場合を示す。この図５は監視カメラシステムを示している。ビデオカメラ１０７から映像データが監視カメラ映像処理装置１０９へと送られる。また、その監視カメラ映像処理装置１０９を特定する装置ＩＤや実時刻情報を保持する電子透かし情報１０８もフレーム毎に電子透かし挿入装置１０１へ送られる。さらに１フレーム前の電子透かし検出確度を電子透かし検出装置１０３から受け取る。この３つの情報を受けた電子透かし挿入装置１０１は電子透かしを挿入したフレームを画像符号化装置１０２へ送り、目的のフォーマットへ符号化する。符号化すると同時に復号化も行われ、その復号化されたフレームは電子透かし検出装置１０３へと送られ、次のフレームの透かし情報として使用する。この監視カメラ映像処理装置１０９はイーサネット（登録商標）などのネットワーク１１０へ接続されており、符号化されたフレームをネットワーク１１０を通じてサーバシステム１１１と監視室１１２へと送られる。サーバシステムへ送られるフレームは外部記憶装置１０５へと保存され、監視カメラ映像が必要になった時点で使用される。また、監視室１１２へ送られたフレームは、画像復号化装置１１３で復号化し、テレビ１１４で再生を行う。
【００１４】
【発明の効果】
本発明を適用することで、電子透かし入りの画像の改ざんを容易に発見することが可能となる。
【図面の簡単な説明】
【図１】本発明を適用した画像処理の概略図。
【図２】画像の処理方法を示した概略図。
【図３】電子透かし情報をバッファリング可能とした概略図。
【図４】電子透かし検出確度を画像情報のユーザ領域へ挿入する概略図。
【図５】本発明を製品に適用した場合の概略図。
【符号の説明】
１００…画像処理装置、１０１…電子透かし挿入装置、１０２…画像符号化装置、１０３…電子透かし検出装置、１０５…外部記憶装置。
【図１】
2004166019.tif 000003
【図２】
2004166019.tif 000004
【図３】
2004166019.tif 000005
【図４】
2004166019.tif 000006
【図５】
2004166019.tif 000007